(57)【要約】【課題】  車両水没防止具３上において車両２がハンドルを据え切りした場合においても損傷を生じることがなく、車両２の水没を確実に防止することを目的とする。【解決手段】  水密性のシートで車両の底部及び側面下部を包んで車両の水没を防止する車両水没防止具３において、当該内層筒状織物３における少なくとも車両のタイヤ６が載置される箇所を、地面に接する下層５とタイヤ６に接する上層４とを有する多重層にし、当該多重層のうちの少なくとも一層が水密性を有する。【効果】  少なくとも車両のタイヤが載置される箇所を多重としているので、その上に車両を載置してハンドルを据え切りした場合には、上層はタイヤと共に回転するが、多重の層間においてすべりが生じることにより、下層は地面に対して動くことがなく、シートが摩耗したり穴が開いたりすることがなく、シートで車両を包んで車両の水没を確実に防止することができる。【選択図】          図３
2008296604.tif 000002
【特許請求の範囲】
【請求項１】
水密性のシートで車両の底部及び側面下部を包んで車両の水没を防止する車両水没防止具（３）において、当該車両水没防止具（３）における少なくとも車両のタイヤ（６）が載置される箇所を、地面に接する下層（５）とタイヤ（６）に接する上層（４）とを有する多重層にし、当該多重層のうちの少なくとも一層が水密性を有することを特徴とする、車両水没防止具
【請求項２】
前記多重層間のうちの少なくとも一層間に、滑剤を介在せしめたことを特徴とする、請求項１に記載の車両水没防止具
【請求項３】
前記多重層のうちの少なくとも一層間における層同士の対向面に、摩擦抵抗が小さい素材を使用し、又は摩擦抵抗が小さい表面加工を施したことを特徴とする、請求項１又は２に記載の車両水没防止具
【請求項４】
前記下層（５）と上層（４）との二層よりなり、当該下層（５）又は上層（４）のうちの少なくともいずれか一方が水密性であると共に、周縁部において上層（４）と下層（５）とを接合したことを特徴とする、請求項１に記載の車両水没防止具
【請求項５】
水密性の中間層（７）の上下にそれぞれ上層（４）及び下層（５）を重ね、その周縁部を一体に接合したことを特徴とする、請求項１に記載の車両水没防止具
【請求項６】
前記上層（４）又は下層（５）を中間層（７）から着脱可能としたことを特徴とする、請求項５に記載の車両水没防止具
【発明の詳細な説明】
【技術分野】
【０００１】
本発明は、洪水などにより河川が氾濫し、水位が上昇したときに、シートで車両を包んで水に浮上させ、車両が水没するのを防止して被害を軽減するための車両水没防止具に関するものである。
【背景技術】
【０００２】
大雨などによる河川の氾濫などで洪水が発生した場合、自動車などの車両が水没することがある。車両が水没してエンジンに水が入ればオーバーホールが必要となり、また電装品は水により機能が損なわれて交換が必要となる。また車室内に泥水が浸入して内装材が汚損して車室内の清掃が必要となるなど、復旧に多大の費用を要し、多くの場合は復旧の費用が車両価格を上回り、ほとんどの場合は廃車となる。
【０００３】
さらには例えば救急車のような特殊車両の場合には、内部に高価な医療機器などを搭載している場合が多く、これが水没した場合には、単なる車両自体の損失に止まらず、多大の経済的損害を生じることが少なくない。
【０００４】
従来から車両の水没を防止する手段に関してはいくつかの公知例が存在する。例えば実開昭６１−１８９８６６号公報や実開平５−４６６１３号公報には、車両の前後にエアバッグを装備し、これを膨らませて水没を阻止することが示されている。
【０００５】
しかしながらこれらのものは、車両が水中に転落した場合に搭乗者が脱出する時間を稼ぐためのものであり、洪水などの際に車室内への水の浸入を阻止して車両の水損を防止するには不十分である。また車両にエアバッグを装備するためには、車両自体に大規模な改造が必要となると共に、常時この設備を搭載した状態で走行しなければならず、現実的ではない。
【０００６】
また特開２００２−２４８９４６号公報には、巨大な筒状のシートで車両をすっぽりと包むことにより、車両の水没を防止する手段が記載されている。しかしながらこの方法では、筒状シートで車両を覆ってその開口部を閉じるため、筒状シート内に空気が封入され、その空気の逃げ場がない。そのため水嵩が増したときには、筒状シート自体が膨らみ、閉じていた開口部が開いたり最悪の場合には筒状シートがバーストして、車両の水没を防止できないことがある。
【０００７】
またこの発明は、車両全体を筒状シートで覆い、その開口部を閉じるものであるため、筒状シートの開口部を車両の上部で閉じるためには、車両の上部の高い位置に作業位置を設定しておかなければならず、また筒状シートの側方から車両を入れる場合には、筒状シートを開いておくための特別の設備が必要であり、数年乃至数十年に一度の事態に備えるために、多大の費用を要し現実的でない。
【０００８】
かかる事情に鑑み、洪水などにより浸水の恐れが生じたときに、車両の底部及び側面下部を水密性のシートで包み、水位が上昇したときには車両の内部空間による浮力によって車両を浮かせ、水没を防止する方法を発明し、先に特願２００６−１４７６０６号として特許出願している。
【０００９】
この発明は図１に示すように、洪水が予測されるときに水密性のシート１で車両２の下部及び側面下部を包むものであって、シート１によって車両２の車室内への水の侵入を阻止すると共に、水位が上昇したときにも車両２の内部空間を確保し、当該空間による浮力によって図２に示すように車両２を水８上に浮上させ、水没による損害を防止するものである。
【００１０】
しかしながらこの方法においては、車両２の保管場所に前記シート１を広げ、そのシート１上に車両２を移動させ、シート１の周縁を車両２の側面に沿わせて車両２を包むのであるが、車両２をシート１上に移動させる際に、シート１上における車両２の位置を微調整するためには、シート１上において停止した状態でハンドルを回転させて据え切りすることが必要となることが少なくない。
【００１１】
一般に自動車のタイヤは路面をグリップするために摩擦抵抗が大きく、シート１上で据え切りした場合には、シート１が地面に強く押し付けられた状態でタイヤと共に回転し、シート１が局部的に地面に擦り付けられて磨耗したり、極端な場合には穴が開いて水密性を確保できないことも起こり得る。
【特許文献１】実開昭６１−１８９８６６号公報
【特許文献２】実開平５−４６６１３号公報
【特許文献３】特開２００２−２４８９４６号公報
【発明の開示】
【発明が解決しようとする課題】
【００１２】
本発明はかかる事情に鑑みなされたものであって、前記方法において使用する車両水没防止具であって、シート１上において車両２がハンドルを据え切りした場合においてもシート１に損傷を生じることがなく、車両２の水没を確実に防止することを目的とするものである。
【課題を解決するための手段】
【００１３】
而して本発明は、水密性のシートで車両の底部及び側面下部を包んで車両の水没を防止する車両水没防止具において、当該シートにおける少なくとも車両のタイヤが載置される箇所を、地面に接する下層とタイヤに接する上層とを有する多重層にし、当該多重層のうちの少なくとも一層が水密性を有することを特徴とするものである。
【００１４】
本発明においては、前記多重層間のうちの少なくとも一層間に、滑剤を介在せしめることが好ましい、また前記多重層のうちの少なくとも一層間における層同士の対向面に、摩擦抵抗が小さい素材を使用し、又は摩擦抵抗が小さい表面加工を施すことも好ましいことである。
【００１５】
本発明の車両水没防止具の具体的な構造としては、前記下層と上層との二層よりなり、当該下層又は上層のうちの少なくともいずれか一方が水密性であると共に、周縁部において上層と下層とを接合した物とすることができる。
【００１６】
また本発明の車両水没防止具の他の構造としては、水密性の中間層の上下にそれぞれ上層及び下層を重ね、その周縁部を一体に接合したものとすることもできる。この場合においては、前記上層又は下層を中間層から着脱可能とすることが好ましい。
【発明の効果】
【００１７】
本発明によれば、少なくとも車両のタイヤが載置される箇所を多重としているので、その上に車両を載置してハンドルを据え切りした場合には、上層はタイヤと共に回転するが、多重の層間においてすべりが生じることにより、下層は地面に対して動くことがなく、シートが摩耗したり穴が開いたりすることがなく、シートで車両を包んで車両の水没を確実に防止することができるのである。
【発明を実施するための最良の形態】
【００１８】
以下本発明を図面に基づいて説明する。図３及び図４は本発明の車両水没防止具３の一例を示すものであって、この車両水没防止具３は上層４と下層５とよりなる二層のシートよりなり、上層４又は下層５の少なくとも一方は水密性であって、上層４は下層５から遊離しており、上層４の周縁部において下層５に接着されている。
【００１９】
本発明においては、この車両水没防止具３を地面に広げてその上に車両２を移動し、車両水没防止具３の中央に車両２を停止させ、この状態で車両水没防止具３の周囲を引き上げて車両２の側部を包む。
【００２０】
このとき車両水没防止具３上において車両２の位置を微調整するために、車両水没防止具３上で車両２が停止した状態でハンドルを据え切りすると、車両２のタイヤ６に接した上層４はタイヤ６とともに回転し、上層４のシートは局部的に捻じれるが、上層４は下層５から分離しているため、上層４のみが回転して下層５は地面との摩擦抵抗により回転することなく、地面と強く擦れることがない。
【００２１】
またハンドルを据え切りした後、車両を前後に移動させることにより、上層４のシートはその弾性により変形が回復し、シートの捩れは解消するので、そのシートを使用して車両２を円滑に包むことができる。
【００２２】
上層４と下層５とは互いに滑り易いものであることが必要であるが、上層４とタイヤ６とはタイヤ６のグリップ性により摩擦抵抗が大きく、また下層５と地面とは地面が特別に滑らかである場合を除き概ねその摩擦抵抗は大きいので、滑り易くするための特段の手段を施す必要はない。
【００２３】
しかしながら地面が濡れているなど特に滑りやすい状態である場合もあり、上層４と下層５との摩擦抵抗を軽減する手段を講じるのは好ましいことである。例えば上層４と下層５との間に滑石やカーボンなどの粉末や、粘度の高い液体などの滑剤を介在せしめるのが好ましい。また上層４の下面及び下層５の上面に摩擦抵抗を軽減する表面加工を施すこともできる。
【００２４】
また車両水没防止具３における上層４と下層５とを重ねる範囲は、少なくとも車両水没防止具３の中央部の車両２が載置される範囲であるが、車両水没防止具３上において車両２の位置を調整するために前後左右に位置を変え、その位置でハンドルを据え切りすることもあるので、できるだけ広範囲とするべきである。
【００２５】
また車両水没防止具３の周縁部においては、上層４と下層５とを接合することが好ましい。その接合の手段としては、上層４と下層５とを縫合することができ、また面ファスナー、スライドファスナー、ボタン、ホックなどの適宜の手段で着脱自在に結合することもできる。
【００２６】
また図５は本発明の他の例を示すものであって、水密性の中間層７の両面にそれぞれ上層４及び下層５を重ね、三層としたものである。三層とすることにより、上層４と中間層７との間及び中間層７と下層５との間の二箇所で滑りが生じるので、上層４にタイヤ６に伴われて捩れが生じても、その捩れが下層５にまで伝達されることはなく、下層５が地面との摩擦で摩耗される可能性がより軽減される。
【００２７】
またこの場合には、上層４及び下層５はタイヤ６や地面との摩擦により損傷を受ける可能性があるが、中間層７は上層４及び下層５で保護されていて損傷することが少ないので、上層４及び下層５を中間層７に対して着脱自在に結合することが好ましい。またこの場合には上層４及び下層５を不織布などの耐久性の低い素材とし、一度限りの使い捨てとすることも可能である。
【００２８】
なお本発明においては、以上の例では上層４と下層５との二層の場合と、上層４、下層５及び中間層７の三層の場合を挙げているが、これに限られることはなく、四層以上の多層とすることも可能である。また二層以上のうちの少なくとも一層は水密性であることを要するが、他の層は水密性である必要はない。
【図面の簡単な説明】
【００２９】
【図１】シートで車両を包んだ状態の斜視図
【図２】シートで包んだ車両が水に浮上した状態を示す側面図
【図３】本発明の車両水没防止具の一例を示す平面図
【図４】図３における車両水没防止具の一部の拡大断面図
【図５】本発明の車両水没防止具の他の例の一部の拡大断面図
【符号の説明】
【００３０】
３  車両水没防止具
４  上層
５  下層
６  タイヤ
７  中間層
【図１】
2008296604.tif 000003
【図２】
2008296604.tif 000004
【図３】
2008296604.tif 000005
【図４】
2008296604.tif 000006
【図５】
2008296604.tif 000007